(57)【要約】【課題】清掃作業を容易に行うことができる排水口蓋及びこれを用いた排水システムを提供する。【解決手段】浴室１内の床面３ａに開口形成された排水口３ｂを覆う排水口蓋１０は、排水口３ｂに設置されたヘアキャッチャー９の上方に配置される蓋本体部１１と、蓋本体部１１の底面から下方に突出してヘアキャッチャー９の内側に載置される主脚部１２とを備える。【選択図】図２
2011214339.tif 000002
【特許請求の範囲】
【請求項１】
浴室内の床面に開口形成された排水口を覆う排水口蓋であって、
前記排水口に設置されたヘアキャッチャーの上方に配置される蓋本体部と、
前記蓋本体部の底面から下方に突出して設けられ、前記ヘアキャッチャーの内側に載置される主脚部と、を備えていることを特徴とする排水口蓋。
【請求項２】
前記ヘアキャッチャーの外側において前記蓋本体部の底面から下方に突出され、前記床面との間に隙間を形成した状態で配置される補助脚部をさらに備えている請求項１に記載の排水口蓋。
【請求項３】
前記主脚部が、弾性部材を介して前記ヘアキャッチャーの内側に載置される請求項２に記載の排水口蓋。
【請求項４】
洗い場の床面に開口形成された排水口に接合されている排水トラップと、
前記排水トラップに取り付けられたヘアキャッチャーと、
前記ヘアキャッチャーの上方に配置された請求項１〜３のいずれか一項に記載の排水口蓋と、を備えていることを特徴とする排水システム。
【発明の詳細な説明】
【技術分野】
【０００１】
本発明は、浴室内の洗い場の床面に設置される排水口蓋及びこれを用いた排水システムに関する。
【背景技術】
【０００２】
一般に、浴室の洗い場の床面には排水口が設けられており、排水口は通水可能な排水口蓋により覆われている。この排水口蓋は、排水口近傍の床面に着脱可能に設置されている（例えば、特許文献１参照）。
【０００３】
従来、図８に示すような浴室の洗い場２０１においては、床面２０２に開口形成された排水口２０３に排水トラップ２０４が設けられ、この排水トラップ２０４の上部内側には毛髪ｈを捕集するヘアキャッチャー２０６が設置されている。また、床面２０２には、排水口２０３を覆う排水口蓋２０７が着脱可能に設置されており、排水口蓋２０７の外周部には、下方に延びる複数の脚部２０７ａが部分的に設けられている。この脚部２０７ａの下端は、排水口２０３の外周側において床面２０２に形成された凹部２０２ａに載置されており、排水口蓋２０７が踏まれたときに、脚部２０７ａにより排水口蓋２０７が床面２０２から跳ね上がるのを抑制している。
【先行技術文献】
【特許文献】
【０００４】
【特許文献１】特開平１１−２２２８９４号公報
【発明の概要】
【発明が解決しようとする課題】
【０００５】
従来の排水口蓋２０７の脚部２０７ａは、ヘアキャッチャー２０６の外側に配置されているため、図８及び図９に示すように、排水口蓋２０７の外側から流れ込む毛髪ｈが、ヘアキャッチャー２０６に捕集される前に、脚部２０７ａに絡み付く場合がある。この場合、排水口２０３を清掃する際に、ヘアキャッチャー２０６以外に脚部２０７ａからも毛髪ｈを取り除く必要があるため、清掃作業に手間を要するという問題があった。
【０００６】
本発明はこのような事情に鑑みてなされたものであり、清掃作業を容易に行うことができる排水口蓋及びこれを用いた排水システムを提供することを目的とする。
【課題を解決するための手段】
【０００７】
上記目的を達成するための本発明の排水口蓋は、浴室内の床面に開口形成された排水口を覆う排水口蓋であって、前記排水口に設置されたヘアキャッチャーの上方に配置される蓋本体部と、前記蓋本体部の底面から下方に突出して設けられ、前記ヘアキャッチャーの内側に載置される主脚部と、を備えていることを特徴としている。
【０００８】
上記本発明によれば、蓋本体部の底面に設けた主脚部が、排水口に設置されたヘアキャッチャーの内側に載置されるため、排水口蓋の外側から流れ込む毛髪は、ヘアキャッチャーの外側で引っ掛かることなく、ヘアキャッチャー内に流れつく。その際、毛髪が主脚部に絡み付く場合もあるが、この絡み付きはヘアキャッチャー内で起こるため、結果的にヘアキャッチャーに捕集されることになる。したがって、排水口を清掃する際に、毛髪を取り除く作業はヘアキャッチャーのみで済むため、清掃作業を容易に行うことができる。
【０００９】
また、前記排水口蓋は、前記ヘアキャッチャーの外側において前記蓋本体部の底面から下方に突出され、前記床面との間に隙間を形成した状態で配置される補助脚部をさらに備えていることが好ましい。
この場合、補助脚部と床面との間には隙間が形成されているため、排水口蓋の外側から流れ込む毛髪は、この隙間を通過してヘアキャッチャー内に流れつく。これにより、補助脚部に毛髪が絡み付くのを防止することができる。しかも、蓋本体部が上方から踏まれたときには、補助脚部が床面に当接するため、蓋本体部が上方に跳ね上がるのを防止することができる。
【００１０】
また、前記主脚部は、弾性部材を介して前記ヘアキャッチャーの内側に載置されることが好ましい。この場合、蓋本体部が上方から踏まれたときに、弾性部材が弾性変形することにより、主脚部とともに補助脚部を下方へ移動させることができるため、補助脚部を床面に容易に当接させることができる。
【００１１】
本発明の排水システムは、洗い場の床面に開口形成された排水口に接合されている排水トラップと、前記排水トラップに取り付けられたヘアキャッチャーと、前記ヘアキャッチャーの上方に配置された請求項１〜３のいずれか一項に記載の排水口蓋と、を備えていることを特徴としている。
上記本発明によれば、排水口蓋の外側から流れ込む毛髪が、ヘアキャッチャーの外側で引っ掛かることなく、ヘアキャッチャー内に流れつくようになる。したがって、排水口を清掃する際に、毛髪を取り除く作業はヘアキャッチャーのみで済むため、清掃作業を容易に行うことができる。
【発明の効果】
【００１２】
本発明の排水口蓋及びこれを用いた排水システムによれば、排水口を清掃する際に、毛髪を取り除く作業はヘアキャッチャーのみで済むため、清掃作業を容易に行うことができる。
【図面の簡単な説明】
【００１３】
【図１】本発明の一実施形態である排水システムを備えた浴室を示す斜視図である。
【図２】前記排水システムを示す断面図である。
【図３】前記排水システムの排水口蓋を示す（ａ）は平面図であり、（ｂ）は正面図である。
【図４】前記排水システムの排水口蓋を示す（ａ）は底面図であり、（ｂ）は側面図である。
【図５】本発明の他の実施形態である排水システムを備えた浴室を示す斜視図である。
【図６】図５の排水システムの排水口蓋を示す（ａ）は平面図であり、（ｂ）は正面図である。
【図７】図５の排水システムの排水口蓋を示す（ａ）は底面図であり、（ｂ）は側面図である。
【図８】従来の排水口蓋が浴室の排水口に設けられた状態を示す断面図である。
【図９】図７の平面断面図である。
【発明を実施するための形態】
【００１４】
次に、本発明の好ましい実施形態について添付図面を参照しながら説明する。図１は、本発明に係る排水システムを備えた浴室１の一実施形態を示している。本実施形態の浴室１は、浴槽２と、この浴槽２に近接して配置された洗い場３と、浴槽２及び洗い場３を囲む壁面４とを備えている。壁面４の洗い場３側には、洗面器等を置くためのカウンタ５が設けられている。このカウンタ５の下方には、排水口３ｂが洗い場３の床面３ａに開口形成されている。
【００１５】
図２は、洗い場３の排水システムを示す断面図である。排水システムＡは、排水口３ｂに接合されている排水トラップ６を備えている。この排水トラップ６は、トラップ本体６ａと、トラップ本体６ａの内側に設けられた筒状の取付フランジ６ｂとを有している。取付フランジ６ｂは、Ｕ字状パッキング６ｃを介して排水口３ｂに接合されている。排水システムＡは、排水口３ｂの上部に設置されたヘアキャッチャー９と、排水口３ｂを覆うようにヘアキャッチャー９の上方に配置された排水口蓋１０とをさらに備えている。
【００１６】
ヘアキャッチャー９は排水口３ｂに流れ込む毛髪Ｈを捕集するものであり、その底部は網目状に形成されている。なお、ヘアキャッチャー９は、底部以外に側面が網目状に形成されていてもよい。ヘアキャッチャー９は、取付フランジ６ｂの上部に着脱可能に取り付けられている。ヘアキャッチャー９の上端部には、取付フランジ６ｂに係止される鍔部９ｂが形成されている。また、ヘアキャッチャー９の上部には水平方向に延びる載置部９ａが形成されており、この載置部９ａに後述する主脚部１２が載置されるようになっている。排水口蓋１０は、床面３ａの排水口３ｂの外周側に形成された凹部３ｃに配置され、後述する天板１１ａの上面が床面３ａと略同一平面上に配置されている。
【００１７】
図３（ａ）は排水口蓋１０の平面図であり、図３（ｂ）は排水口蓋１０の正面図である。排水口蓋１０は、ヘアキャッチャー９の上方に配置される蓋本体部１１と、蓋本体部１１の中央部から下方に突出する主脚部１２と、蓋本体部１１の外周部から下方に突出する補助脚部１３とを有している。
【００１８】
図３（ａ）の平面視において、蓋本体部１１は、略半円状に形成された天板１１ａと、この天板１１ａの外周縁の全周に亘って一体形成された縁板１１ｂとを有している。縁板１１ｂは、天板１１ａの底面から下方（図３（ｂ）の下側）に延びて形成されている。また、蓋本体部１１の壁面４側（図３（ａ）の上側）の縁板１１ｂには、一対の当接部１１ｃが一体形成されている。各当接部１１ｃは、床面３ａに当接することにより、蓋本体部１１が壁面４側へ移動するのを規制している。また、各当接部１１ｃは相互に図３（ａ）の左右方向に離反して形成されている。
【００１９】
図４（ａ）は、排水口蓋１０の底面図であり、図４（ｂ）は排水口蓋１０の側面図である。図４（ａ）において、蓋本体部１１の天板１１ａの底面には、縁板１１ｂの円弧部１１ｂ１の略中心部を通過して上下方向に延びる第１補強リブ１１ｄと、円弧部１１ｂ１の略中心部を通過して左右方向に延びる第２補強リブ１１ｅとが一体形成されている。第１補強リブ１１ｄの両端部及び第２補強リブ１１ｅの両端部は、それぞれ縁板１１ｂに一体的に接合されている。
【００２０】
また、天板１１ａの底面には、第１補強リブ１１ｄの左右両側に所定間隔を空けて配置された左右一対の第３補強リブ１１ｆと、円弧部１１ｂ１の略中心部から放射状に延びる左右一対の第４補強リブ１１ｇと、左右の第４補強リブ１１ｇの間において円弧状に形成された第５補強リブ１１ｈとが一体形成されている。
【００２１】
各第３補強リブ１１ｆの両端部は、それぞれ縁板１１ｂと第２補強リブ１１ｅとに一体的に接合されている。各第３補強リブ１１ｆと縁板１１ｂとの接合部には、蓋本体部１１を床面３ａに対して支持するための一対の支持部１４が一体形成されている。なお、図４（ａ）において各支持部１４の斜線部分は、各支持部１４の下端面を示している。
【００２２】
各第４補強リブ１１ｇの両端部は、縁板１１ｂと、第１補強リブ１１ｄ及び第２補強リブ１１ｅの接合部とに一体的に接合されている。第５補強リブ１１ｈは、縁板１１ｂの円弧部１１ｂ１と略同心状に形成されており、その両端部は、第４補強リブ１１ｇの長手方向中間部に一体的に接合されている。これにより、天板１１ａは第１〜第５補強リブ１１ｄ〜１１ｈによって補強されている。
【００２３】
図４（ａ）において、主脚部１２は、第５補強リブ１１ｈに沿って所定間隔を空けて配置された第１主脚１２ａと第２主脚１２ｂとによって構成されている。なお、図４（ａ）における第１及び第２主脚１２ａ，１２ｂの黒塗り部分は、第１及び第２主脚１２ａ，１２ｂの下端面を示している。第１及び第２主脚１２ａ，１２ｂは第５補強リブ１１ｈにそれぞれ一体形成されている。
【００２４】
第１及び第２主脚１２ａ，１２ｂの一端部は、第５補強リブ１１ｈの端部から第４補強リブ１１ｇに沿って円弧部１１ｂ１の中心側へ向けて屈曲形成されており、平面視において略Ｌ字状に形成されている。また、第１及び第２主脚１２ａ，１２ｂの下端には、図２に示すように、弾性部材であるクッションゴム１５がそれぞれ固定されており、第１及び第２主脚１２ａ，１２ｂは、このクッションゴム１５を介して、ヘアキャッチャー９の内側である載置部９ａにそれぞれ載置されるようになっている。
【００２５】
図４（ａ）において、補助脚部１３は、縁板１１ｂ及びその近傍に所定間隔を空けて配置された第１補助脚１３ａ、第２補助脚１３ｂ、第３補助脚１３ｃ、第４補助脚１３ｄ及び第５補助脚１３ｅとによって構成されている。なお、図４（ａ）における第１〜第５補助脚１３ａ〜１３ｅの黒塗り部分は、第１〜第５補助脚１３ａ〜１３ｅの下端面を示している。
【００２６】
第１補助脚１３ａ及び第５補助脚１３ｅは、平面視において略Ｔ字状に形成されており、縁板１１ｂと第２補強リブ１１ｅとの接合部に一体形成されている。第２補助脚１３ｂ及び第４補助脚１３ｄは、平面視において各第４補強リブ１１ｇに沿って直線状に延びて形成されており、各第４補強リブ１１ｇにそれぞれ一体形成されている。第３補助脚１３ｃは、平面視において略Ｔ字状に形成されており、縁板１１ｂと第１補強リブ１１ｄとの接合部に一体形成されている。
【００２７】
図２において、第１〜第５補助脚１３ａ〜１３ｅは、第１及び第２主脚１２ａ，１２ｂよりも上下方向に短く形成されており、ヘアキャッチャー９の外側である凹部３ｃの上方に配置されるようになっている。この状態において、第１〜第５補助脚１３ａ〜１３ｅと凹部３ｃとの間には、隙間Ｓが形成されている。
【００２８】
以上のように構成された本実施形態の排水口蓋１０及びこれを用いた排水システムＡによれば、蓋本体部１１の底面に設けた主脚部１２が、排水口３ｂに設置されたヘアキャッチャー９の内側に載置されるため、排水口蓋１０の外側から流れ込む毛髪Ｈは、ヘアキャッチャー９の外側で引っ掛かることなく、ヘアキャッチャー９内に流れつく。その際、毛髪Ｈが主脚部１２に絡み付く場合もあるが（図２参照）、この絡み付きはヘアキャッチャー９内で起こるため、結果的にヘアキャッチャー９に捕集されることになる。したがって、排水口３ｂを清掃する際に、毛髪Ｈを取り除く作業はヘアキャッチャー９のみで済むため、清掃作業を容易に行うことができる。
【００２９】
また、補助脚部１３と床面３ａの凹部３ｃとの間に隙間Ｓが形成されているため、排水口蓋１０の外側から流れ込む毛髪Ｈは、この隙間Ｓを通過してヘアキャッチャー９内に流れつく。これにより、補助脚部１３に毛髪Ｈが絡み付くのを防止することができる。しかも、蓋本体部１１が上方から踏まれたときには、補助脚部１３が床面３ａ（凹部３ｃ）に当接するため、蓋本体部１１が上方に跳ね上がるのを防止することができる。
【００３０】
また、主脚部１２は、クッションゴム１５を介してヘアキャッチャー９の載置部９ａに載置されているため、蓋本体部１１が上方から踏まれたときに、クッションゴム１５が弾性変形することにより、主脚部１２とともに補助脚部１３を下方へ移動させることができる。これにより、補助脚部１３を床面３ａ（凹部３ｃ）に容易に当接させることができる。
【００３１】
図５は、本発明の他の実施形態に係る排水システムを備えた浴室を示している。他の実施形態と上記実施形態とが相違する点は、洗い場における排水システムの配置位置、及び排水口蓋の形状が異なる点である。他の実施形態のうち、上記実施形態と同じ名称の部位及び同じ符号を付したものについてはその説明を省略する。
【００３２】
他の実施形態における排水システムＡは、洗い場３の床面３ａにおける浴槽２側端部の長手方向中央部に、排水口３ｂが開口形成されている。この排水口３ｂの上方に排水口蓋１１０が配置されている。図６（ａ）は排水口蓋１１０の平面図であり、図６（ｂ）は排水口蓋１１０の正面図である。排水口蓋１１０は、ヘアキャッチャー９の上方に配置される蓋本体部１１１と、蓋本体部１１１の中央部から下方に突出する主脚部１１２と、蓋本体部１１１の外周部から下方に突出する補助脚部１１３とを有している。
【００３３】
図６（ａ）の平面視において、蓋本体部１１１は、略正方形状に形成された天板１１１ａと、この天板１１１ａの外周縁の全周に亘って一体形成された縁板１１１ｂとを有している。縁板１１１ｂは、天板１１１ａの底面から下方（図６（ｂ）の下側）に延びて形成されている。また、蓋本体部１１１の浴槽２側（図６（ａ）の上側）の縁板１１１ｂには、単一の当接部１１１ｃが一体形成されている。この当接部１１１ｃは、床面３ａに当接することにより、蓋本体部１１１が浴槽２側へ移動するのを規制している。
【００３４】
図７（ａ）は、排水口蓋１１０の底面図であり、図７（ｂ）は排水口蓋１１０の側面図である。図７（ａ）において、蓋本体部１１１の天板１１１ａの底面には、上下方向に延びる第１〜第４補強リブ１１１ｄ〜１１１ｇ、左右方向に延びる第５〜第１１補強リブ１１１ｈ〜１１１ｏ、及び円弧状に形成された第１２補強リブ１１１ｐがそれぞれ一体形成されている。
【００３５】
図７（ａ）において、主脚部１１２は、第１２補強リブ１１１ｐに沿って所定間隔を空けて配置された第１主脚１１２ａと第２主脚１１２ｂとによって構成されている。なお、図７（ａ）における第１及び第２主脚１１２ａ，１１２ｂの黒塗り部分は、第１及び第２主脚１１２ａ，１１２ｂの下端面を示している。第１及び第２主脚１１２ａ，１１２ｂは、平面視において略Ｌ字状に形成されており、第１２補強リブ１１１ｐにそれぞれ一体形成されている。また、第１及び第２主脚１１２ａ，１１２ｂの下端は、ヘアキャッチャー９の内側である載置部９ａにそれぞれクッションゴム１５を介して載置されるようになっている。
【００３６】
図７（ａ）において、補助脚部１１３は、縁板１１１ｂに所定間隔を空けて配置された第１〜第５補助脚１１３ａ〜１１３ｅによって構成されている。なお、図７（ａ）における第１〜第５補助脚１１３ａ〜１１３ｅの黒塗り部分は、第１〜第５補助脚１１３ａ〜１１３ｅの下端面を示している。第１補助脚１１３ａ及び第５補助脚１１３ｅは、平面視において略Ｔ字状に形成されており、左右の縁板１１１ｂと第９補強リブ１１１ｍとの接合部にそれぞれ一体形成されている。第２補助脚１１３ｂ及び第４補助脚１１３ｄは、平面視において略Ｌ字状に形成されており、縁板１１１ｂの下側左右の角部にそれぞれ一体形成されている。第３補助脚１１３ｃは、平面視において略Ｔ字状に形成されており、下側の縁板１１１ｂと第２補強リブ１１１ｅとの接合部ににそれぞれ一体形成されている。
【００３７】
第１〜第５補助脚１１３ａ〜１１３ｅは、第１及び第２主脚１１２ａ，１１２ｂよりも上下方向に短く形成されており、ヘアキャッチャー９の外側である凹部３ｃの上方に配置されるようになっている。この状態において、第１〜第５補助脚１１３ａ〜１１３ｅと凹部３ｃとの間には、隙間Ｓが形成されている。また、縁板１１１ｂの上側左右の角部及び上側中央部には、蓋本体部１１１を床面３ａに対して支持するための支持部１１４が一体形成されている。なお、図７（ａ）において各支持部１１４の斜線部分は、各支持部１１４の下端面を示している。
【００３８】
以上のように構成された排水口蓋１１０及びこれを用いた排水システムＡにおいても、蓋本体部１１１の底面に設けた主脚部１１２が、排水口３ｂに設置されたヘアキャッチャー９の内側に載置されるため、排水口蓋１１０の外側から流れ込む毛髪Ｈは、ヘアキャッチャー９の外側で引っ掛かることなく、ヘアキャッチャー９内に流れつく。したがって、排水口３ｂを清掃する際に、毛髪Ｈを取り除く作業はヘアキャッチャー９のみで済むため、清掃作業を容易に行うことができる。
【００３９】
なお、本発明は上記実施形態に限定されるものではない。例えば、上記実施形態では、蓋本体部１１（１１１）に主脚部１２（１１２）と補助脚部１３（１１３）とを設けているが、少なくとも主脚部１２（１１２）を設けていればよい。
また、主脚部１２（１１２）及び補助脚部１３（１１３）は、縁板１１ｂ（１１１ｂ）や補強リブ１１ｄ〜１１ｈ（１１１ｄ〜１１１ｐ）に設けられているが、天板１１ａ（１１１ａ）の底面に設けられていてもよい。
さらに、主脚部１２（１１２）及び補助脚部１３（１１３）は、それぞれ複数の脚１２ａ〜１２ｂ（１１２ａ〜１１２ｂ）、１３ａ〜１３ｅ（１１３ａ〜１１３ｅ）によって構成されているが、少なくとも１つの脚により構成されていればよい。
【符号の説明】
【００４０】
３    洗い場
３ａ  床面
３ｂ  排水口
６    排水トラップ
９    ヘアキャッチャー
１０，１１０    排水口蓋
１１，１１１    蓋本体部
１２，１１２    主脚部
１３，１１３    補助脚部
１５    クッションゴム（弾性部材）
Ａ    排水システム
Ｓ    隙間
【図１】
2011214339.tif 000003
【図２】
2011214339.tif 000004
【図３】
2011214339.tif 000005
【図４】
2011214339.tif 000006
【図５】
2011214339.tif 000007
【図６】
2011214339.tif 000008
【図７】
2011214339.tif 000009
【図８】
2011214339.tif 000010
【図９】
2011214339.tif 000011